(57)【要約】【課題】光センサを用いて制御エリアごとの発光強度を検出し、検出値に基づいて制御エリアの発光量を調整するバックライトにおいて、制御エリアごとの発光強度を精度良く検出する。【解決手段】各々複数の光源が配置される複数の制御エリアによって分割され、制御エリアごとに発光を制御可能な発光手段と、前記発光手段の発光強度を検出する複数の検出手段と、複数の検出手段による検出値を予め決められた補正情報に基づいて補正し、補正後の検出値に基づいて各制御エリアの発光強度を推定する推定手段と、前記推定手段により推定される各制御エリアの発光強度に基づき各制御エリアの発光量を制御する制御手段と、を備え、前記補正情報は、各制御エリアの発光強度の推定値において、各制御エリアに配置される複数の光源の各々の発光強度による寄与が均一になるように決められている発光装置。【選択図】図１
2014081585.tif 000002
【特許請求の範囲】
【請求項１】
各々複数の光源が配置される複数の制御エリアによって分割され、制御エリアごとに発光を制御することができる発光手段と、
前記発光手段の発光強度を検出する複数の検出手段と、
複数の検出手段による検出値を予め決められた補正情報に基づいて補正し、補正後の検出値に基づいて各制御エリアの発光強度を推定する推定手段と、
前記推定手段により推定される各制御エリアの発光強度に基づき各制御エリアの発光量を制御する制御手段と、
を備え、
前記補正情報は、各制御エリアの発光強度の推定値において、各制御エリアに配置される複数の光源の各々の発光強度による寄与が均一になるように決められている発光装置。
【請求項２】
前記推定手段は、発光強度の推定の対象となる制御エリアのみ発光させたときの前記検出手段による検出値を前記補正情報に基づいて補正し、補正後の検出値に基づいて当該制御エリアの発光強度の推定を行う請求項１に記載の発光装置。
【請求項３】
前記推定手段は、制御エリアごとに予め決められた複数の検出手段である使用検出手段による検出値を用いて制御エリアごとの発光強度の推定を行う請求項１又は２に記載の発光装置。
【請求項４】
前記制御エリアごとに決められた使用検出手段は、各制御エリアの近傍に配置された検出手段である請求項３に記載の発光装置。
【請求項５】
前記補正情報は、制御エリアごとに予め決められている請求項１〜４のいずれか１項に記載の発光装置。
【請求項６】
前記補正情報は、制御エリアごと及び使用検出手段ごとに決められた補正係数の情報を含み、
前記推定手段は、各制御エリアに対応する使用検出手段による検出値を、その制御エリア及びその使用検出手段に対応する補正係数を用いて補正し、補正後の検出値に基づいて各制御エリアの発光強度を推定する請求項３又は４に記載の発光装置。
【請求項７】
前記補正係数は、制御エリアと、その制御エリアに対応する使用検出手段と、の位置関係に基づいて決められている請求項６に記載の発光装置。
【請求項８】
各制御エリアには複数の発光色の光源が配置されており、
前記補正情報は、制御エリアごと及び発光色ごとに予め決められている請求項１〜７のいずれか１項に記載の発光装置。
【請求項９】
各制御エリアには複数の発光色の光源が配置されており、
前記補正情報は、制御エリアごと、使用検出手段ごと、及び発光色ごとに決められた補正係数の情報を含み、
前記推定手段は、各制御エリアに対応する使用検出手段による各発光色の検出値を、その制御エリア、その使用検出手段、及びその発光色に対応する補正係数を用いて補正し、補正後の検出値に基づいて各制御エリアの各発光色の発光強度を推定する請求項３又は４に記載の発光装置。
【請求項１０】
制御エリアと使用検出手段との位置関係は複数のパターンに分類され、
前記補正情報は、パターンごとに予め決められた補正係数の情報を含み、
前記推定手段は、各制御エリアに対応する使用検出手段による検出値を、その制御エリアとその使用検出手段との位置関係に対応するパターンに対応する補正係数を用いて補正し、補正後の検出値に基づいて各制御エリアの発光強度を推定する請求項３又は４に記載の発光装置。
【請求項１１】
制御エリアと使用検出手段との位置関係は複数のパターンに分類され、
前記補正情報は、パターンごと及び使用検出手段ごとに予め決められた補正係数の情報を含み、
前記推定手段は、各制御エリアに対応する使用検出手段による検出値を、その制御エリアとその使用検出手段との位置関係に対応するパターン及びその使用検出手段に対応する補正係数を用いて補正し、補正後の検出値に基づいて各制御エリアの発光強度を推定する請求項３又は４に記載の発光装置。
【請求項１２】
請求項１〜１１のいずれか１項に記載の発光装置を備える画像表示装置のバックライト装置。
【請求項１３】
請求項１〜１１のいずれか１項に記載の発光装置をバックライトとして備える画像表示装置。
【請求項１４】
各々複数の光源が配置される複数の制御エリアによって分割され、制御エリアごとに発光を制御することができる発光手段と、
前記発光手段の発光強度を検出する複数の検出手段と、
を備えた発光装置の制御方法であって、
複数の検出手段による検出値を予め決められた補正情報に基づいて補正し、補正後の検出値に基づいて各制御エリアの発光強度を推定する推定工程と、
前記推定工程により推定される各制御エリアの発光強度に基づき各制御エリアの発光量を制御する制御工程と、
を有し、
前記補正情報は、各制御エリアの発光強度の推定値において、各制御エリアに配置される複数の光源の各々の発光強度による寄与が均一になるように決められている発光装置の制御方法。
【請求項１５】
前記推定工程では、発光強度の推定の対象となる制御エリアのみ発光させたときの前記検出手段による検出値を前記補正情報に基づいて補正し、補正後の検出値に基づいて当該制御エリアの発光強度の推定を行う請求項１４に記載の発光装置の制御方法。
【請求項１６】
前記推定工程では、制御エリアごとに予め決められた複数の検出手段である使用検出手段による検出値を用いて制御エリアごとの発光強度の推定を行う請求項１４又は１５に記載の発光装置の制御方法。
【請求項１７】
前記制御エリアごとに決められた使用検出手段は、各制御エリアの近傍に配置された検出手段である請求項１６に記載の発光装置の制御方法。
【請求項１８】
前記補正情報は、制御エリアごとに予め決められている請求項１４〜１７のいずれか１項に記載の発光装置の制御方法。
【請求項１９】
前記補正情報は、制御エリアごと及び使用検出手段ごとに決められた補正係数の情報を含み、
前記推定工程では、各制御エリアに対応する使用検出手段による検出値を、その制御エリア及びその使用検出手段に対応する補正係数を用いて補正し、補正後の検出値に基づい
て各制御エリアの発光強度を推定する請求項１６又は１７に記載の発光装置の制御方法。
【請求項２０】
前記補正係数は、制御エリアと、その制御エリアに対応する使用検出手段と、の位置関係に基づいて決められている請求項１９に記載の発光装置の制御方法。
【請求項２１】
各制御エリアには複数の発光色の光源が配置されており、
前記補正情報は、制御エリアごと及び発光色ごとに予め決められている請求項１４〜２０のいずれか１項に記載の発光装置の制御方法。
【請求項２２】
各制御エリアには複数の発光色の光源が配置されており、
前記補正情報は、制御エリアごと、使用検出手段ごと、及び発光色ごとに決められた補正係数の情報を含み、
前記推定工程では、各制御エリアに対応する使用検出手段による各発光色の検出値を、その制御エリア、その使用検出手段、及びその発光色に対応する補正係数を用いて補正し、補正後の検出値に基づいて各制御エリアの各発光色の発光強度を推定する請求項１６又は１７に記載の発光装置の制御方法。
【請求項２３】
制御エリアと使用検出手段との位置関係は複数のパターンに分類され、
前記補正情報は、パターンごとに予め決められた補正係数の情報を含み、
前記推定工程では、各制御エリアに対応する使用検出手段による検出値を、その制御エリアとその使用検出手段との位置関係に対応するパターンに対応する補正係数を用いて補正し、補正後の検出値に基づいて各制御エリアの発光強度を推定する請求項１６又は１７に記載の発光装置の制御方法。
【請求項２４】
制御エリアと使用検出手段との位置関係は複数のパターンに分類され、
前記補正情報は、パターンごと及び使用検出手段ごとに予め決められた補正係数の情報を含み、
前記推定工程では、各制御エリアに対応する使用検出手段による検出値を、その制御エリアとその使用検出手段との位置関係に対応するパターン及びその使用検出手段に対応する補正係数を用いて補正し、補正後の検出値に基づいて各制御エリアの発光強度を推定する請求項１６又は１７に記載の発光装置の制御方法。
【発明の詳細な説明】
【技術分野】
【０００１】
本発明は、発光装置及びその制御方法に関するものである。
【背景技術】
【０００２】
近年、液晶表示装置のバックライトとして発光ダイオード（Ｌｉｇｈｔ Ｅｍｉｔｔｉ
ｎｇ Ｄｉｏｄｅ、以下ＬＥＤと略す）が多く採用されている。特にＬＥＤを液晶背面に
アレイ状に配置した直下型の構成は、制御エリアごとの局所的な輝度調整が容易であり、ローカルディミング（局所減光）によるコントラスト比（最高輝度と最低輝度の比）の向上や消費電力の低減が可能になるため、普及している。
【０００３】
しかしながら、ＬＥＤの一般的な特性として初期バラツキや経年劣化、温度劣化が大きく、前述の直下型の配置では長期間に渡り輝度を一定かつ均一に保つことが困難であった。
【０００４】
そこで、バックライトの近傍に光センサを取り付け、制御エリアごとに発光強度を検出し、検出値が既定の目標値に近づくようバックライトの発光量を補正することで、バックライト全体の輝度を一定に保つ方法が提案されている（例えば、特許文献１参照）。
【０００５】
また、制御エリアの光センサからの距離に応じて、検出精度の低下を防ぐため、光センサのゲイン（利得）や制御エリアの発光量を調整してから検出する方法が考案されている（例えば、特許文献２参照）。
【先行技術文献】
【特許文献】
【０００６】
【特許文献１】特開２００５−１５７３１６号公報
【特許文献２】特開２００９−２１１９３８号公報
【発明の概要】
【発明が解決しようとする課題】
【０００７】
しかしながら、１つの制御エリアには一般に複数のＬＥＤが配置され、複数のＬＥＤは同一の発光量の制御が行われる。例えば直列に接続され同じ電流量を与えられる。同じ制御エリアに配置された複数のＬＥＤは、それぞれ光センサとの位置関係が異なるため、ＬＥＤごとに検出値への影響度合がばらつく。
【０００８】
そのため、制御エリア上のＬＥＤ全体としての発光強度を精度良く検出することができず、制御エリアの発光量に対して誤った補正を行ってしまい、バックライト全体の輝度を一定かつ均一に保つことができない場合があった。
【０００９】
そこで本発明は、各々複数の光源が配置される制御エリアごとの発光強度を複数の光センサによる検出値に基づいて推定する発光装置において、発光強度の推定精度を高めることを可能にする技術を提供することを目的とする。
【課題を解決するための手段】
【００１０】
本発明は、各々複数の光源が配置される複数の制御エリアによって分割され、制御エリアごとに発光を制御することができる発光手段と、
前記発光手段の発光強度を検出する複数の検出手段と、
複数の検出手段による検出値を予め決められた補正情報に基づいて補正し、補正後の検
出値に基づいて各制御エリアの発光強度を推定する推定手段と、
前記推定手段により推定される各制御エリアの発光強度に基づき各制御エリアの発光量を制御する制御手段と、
を備え、
前記補正情報は、各制御エリアの発光強度の推定値において、各制御エリアに配置される複数の光源の各々の発光強度による寄与が均一になるように決められている発光装置である。
【００１１】
本発明は、各々複数の光源が配置される複数の制御エリアによって分割され、制御エリアごとに発光を制御することができる発光手段と、
前記発光手段の発光強度を検出する複数の検出手段と、
を備えた発光装置の制御方法であって、
複数の検出手段による検出値を予め決められた補正情報に基づいて補正し、補正後の検出値に基づいて各制御エリアの発光強度を推定する推定工程と、
前記推定工程により推定される各制御エリアの発光強度に基づき各制御エリアの発光量を制御する制御工程と、
を有し、
前記補正情報は、各制御エリアの発光強度の推定値において、各制御エリアに配置される複数の光源の各々の発光強度による寄与が均一になるように決められている発光装置の制御方法である。
【発明の効果】
【００１２】
本発明によれば、各々複数の光源が配置される制御エリアごとの発光強度を複数の光センサによる検出値に基づいて推定する発光装置において、発光強度の推定精度を高めることができる。
【図面の簡単な説明】
【００１３】
【図１】実施例１の発光装置の概略構成を示すブロック図
【図２】実施例１の発光装置の配置構成を示す模式図
【図３】実施例１の発光装置の動作を説明するフローチャート
【図４】実施例１の発光装置の動作を説明するフローチャート
【図５】実施例１の目標輝度に対する平均輝度の分布を示す図
【図６】実施例１の補正情報、目標発光強度を示す図
【図７】実施例２の発光装置の概略構成を示すブロック図
【図８】実施例２の発光装置の配置構成を示す模式図
【図９】実施例２の発光装置の動作を説明するフローチャート
【図１０】実施例２の発光装置の動作を説明するフローチャート
【図１１】実施例２の目標輝度に対する平均輝度の分布を示す図
【図１２】実施例２の補正情報を示す図
【図１３】実施例２の全制御エリアの目標発光強度を示す図
【図１４】実施例３の発光装置の概略構成を示すブロック図
【図１５】実施例３の発光装置の配置構成を示す模式図
【図１６】実施例３の補正情報を示す図
【図１７】実施例３の発光装置の動作を説明するフローチャート
【図１８】実施例３の発光装置の動作を説明するフローチャート
【図１９】実施例４の発光装置の概略構成を示すブロック図
【図２０】実施例４の発光装置の配置構成を示す模式図
【図２１】実施例４の発光装置の動作を説明するフローチャート
【図２２】実施例４の発光装置の動作を説明するフローチャート
【図２３】実施例４の目標輝度に対する平均輝度の分布を示す図
【図２４】実施例４の補正情報を示す図
【図２５】実施例４の全制御エリアの目標発光強度を示す図
【発明を実施するための形態】
【００１４】
以下、図面を参照しながら本発明の好適な実施の形態を説明する。
【００１５】
（実施例１）
本実施例では、ＬＥＤの発光色が全て同一である場合において、かつ制御エリア上の４つのＬＥＤの発光強度を周囲に設置した４つの光センサを使って測定する場合について示す。また、本実施例では発光強度を補正する際の重み付け係数は、発光する制御ブロック及び光センサごとに一意に決まっている場合について示す。
【００１６】
図１は本発明の第１の実施例における発光装置の構成を示すブロック図である。発光装置１００は、液晶表示装置等の画像表示装置に用いられるバックライト装置に本発明を適用した一例である。なお、本発明の発光装置は画像表示装置のバックライト装置に限らず適用可能である。バックライトユニット１１０と制御ユニット１２０から構成されている。バックライトユニット１１０は複数のＬＥＤ１１１と複数の光センサ１１２を有している。また、制御ユニット１２０は光センサ値検出部１２１と、発光強度推定部１２２と、補正情報記録部１２３と、バックライト制御部１２４と、目標発光強度記録部１２５と、バックライト駆動部１２６を有している。
【００１７】
図２（Ａ）は本実施例におけるバックライトユニット１１０のＬＥＤ１１１及び光センサ１１２の配置について示した模式図である。バックライトユニット１１０には９６個のＬＥＤ１１１と１２個の光センサ１１２がアレイ状に配置され、２４個の制御エリアに分割されている。１つの制御エリアには４つのＬＥＤ１１１が配置され、４つの制御エリアの周囲に４つの光センサ１１２が配置されている。すなわち、横２個×縦２個の４個の制御エリアからなる領域の４つの頂点の位置に光センサ１１２が配置されている。
【００１８】
ここで、図２（Ａ）に示す制御エリア０に着目し、光センサ検出値の検出方法を図２（Ｂ）を用いて説明する。一般的に、ＬＥＤの発光強度は光源からの距離が離れるほど減衰する。そのため、光センサＡは制御エリア０に配置された４つのＬＥＤのうち、最近傍にあるＬＥＤ１２００の影響度が最も強く、最遠方にあるＬＥＤ１２３０の影響度が最も弱い。光センサＢ、光センサＥ、光センサＦについても同様にＬＥＤの影響度の偏りが存在する。したがって、本実施例では、光センサの積算値に含まれる各ＬＥＤの影響度合（制御エリア全体の発光強度の推定値における、各ＬＥＤの発光強度による寄与）が均一となるよう、各光センサによる検出値を補正（重み付け）して積算する。これにより、制御エリアの発光強度の推定値においてその制御エリアに配置される複数のＬＥＤのうちの特定のＬＥＤの影響が大きくなることが抑制される。よって、ＬＥＤの発光特性のばらつきによる制御エリアの発光強度の推定値への影響が抑制され、制御エリア０上のＬＥＤ全体としての発光強度を精度良く検出することができる。すなわち、制御エリア０全体の発光強度を推定する次の式において、ＬＥＤ１２００の発光強度≒ＬＥＤ１２１０の発光強度≒ＬＥＤ１２２０の発光強度≒ＬＥＤ１２３０の発光強度となる。
（光センサＡの検出値×補正係数）＋（光センサＢの検出値×補正係数）
＋（光センサＥの検出値×補正係数）＋（光センサＦの検出値×補正係数）
＝（ＬＥＤ１２００の発光強度＋ＬＥＤ１２１０の発光強度
＋ＬＥＤ１２２０の発光強度＋ＬＥＤ１２３０の発光強度）
＝制御エリア０全体の発光強度
【００１９】
本実施例では、前記各ＬＥＤの各光センサの検出値への影響度合が同一となるよう、光センサ検出値を調整するための重み付け係数は予め測定及び算出されており、発光装置内の記憶領域に補正情報として保存されているものとする。
【００２０】
以下、実施例１での発光装置１００の制御を図３及び図４に示すフローチャートを用いて説明する。
（工場調整時）
まず、図３を用いて、個々の制御エリアを均一の輝度で発光させるための目標とする発光強度（以下、目標発光強度）を記録する処理について説明する。
なお、本処理は、例えば生産時の調整工程にて実施することを想定している。
【００２１】
ステップＳ１５０において、バックライト制御部１２４は、バックライト駆動部１２６に対し、全ＬＥＤを同一の発光量で発光させるよう指示する。本実施例では、バックライト駆動部１２６は、全てのＬＥＤ１１１に対し、同一の電流量（以下、初期電流量）を設定し、発光させる。発光量の制御は、本実施例のように電流量の調節により行っても良いし、パルス幅変調制御（ＰＷＭ制御）のデューティ比の調節により行っても良い。
【００２２】
ステップＳ１５１において、バックライト制御部１２４は、不図示の外部測定器によって測定したバックライトの輝度ムラ測定結果を基に、各制御エリアの電流量を補正する。具体的には、外部測定器から図５に示すような目標輝度に対する制御エリアごとの平均輝度の比率（以下、輝度比率）の分布の情報を取得し、各制御エリアの電流量を補正する。
【００２３】
電流量の補正係数は以下の計算式により、算出される。
補正係数＝（１÷輝度比率）
例えば、制御エリア０の目標輝度に対する輝度比率は９５％であるので、電流量の補正係数は
（１÷０．９５）≒１．０５２６
となる。
【００２４】
また、制御エリアの補正後の電流量（以下、補正後初期電流量）は、以下の計算式により、算出される。
補正後初期電流量＝初期電流量×補正係数
例えば、初期電流量が１００００であったとすると、制御エリア０の補正後初期電流量は
（１００００×１．０５２６）＝１０５２６
となる。
【００２５】
以上の手順により、バックライト制御部１２４は、全ての制御エリアに対して補正後初期電流量を算出し、これを初期電流量として更新する。次に、バックライト制御部１２４は、全ての制御エリアを更新した初期電流量で発光させ、再度外部測定器によって目標輝度に対する制御エリアごとの平均輝度を測定する。誤差範囲が十分小さくなった場合（例えば、１％以下）、バックライト制御部１２４は、本ステップを終了する。誤差範囲が十
分小さくならなかった場合、バックライト制御部１２４は、再度補正後初期電流量の算出及び初期電流量の更新を行い、誤差範囲が十分小さくなるまで繰り返し、各制御エリアの輝度ムラをなくす。初期電流量は制御ユニット１２０の不図示の記憶手段に記録され、補正後初期電流量が算出されるたびに記憶手段の初期電流量が更新される。
【００２６】
ステップＳ１５２において、バックライト制御部１２４は、バックライト駆動部１２６に対し、制御エリア０のみを初期電流量で発光させるよう指示する。バックライト駆動部１２６は、制御エリア０のＬＥＤ１１１に対し、Ｓ１５２で最終的に決定した初期電流量を設定して発光させ、その他のＬＥＤに対しては電流量に０を設定して非発光状態とする。
【００２７】
ステップＳ１５３において、バックライト制御部１２４は制御エリア０の周辺にある光センサＡ、光センサＢ、光センサＥ、光センサＦの電圧を取得するよう光センサ値検出部１２１に指示する。すなわち、ここでは、バックライトユニットに備わる複数の光センサの内、制御エリア０の周辺にある光センサＡ，Ｂ，Ｅ，Ｆが使用検出手段とされている。光センサ値検出部１２１は、光センサＡ、光センサＢ、光センサＥ、光センサＦから得られた電圧をＡ／Ｄ変換し、発光強度推定部１２２に光センサ検出値として設定する。
【００２８】
ステップＳ１５４において、バックライト制御部１２４は、発光強度推定部１２２に対し、制御エリア０の周囲の複数の光センサ検出値から制御エリア０の発光強度の推定を行うよう指示する。発光強度推定部１２２は、補正情報記録部１２３から発光強度を推定するための情報（以下、補正情報）を取得する。
【００２９】
具体的には、補正情報記録部１２３には補正情報として、図６（Ａ）に示すような発光している制御エリアと周囲の光センサ情報、及び周囲の光センサ検出値に乗算するための重み付け係数の情報が記録されている。発光強度推定部１２２は、この補正情報に基づき、Ｓ１５３で取得した光センサ検出値に対して重み付けを行う。例えば、制御エリア０を発光させた時の光センサ検出値が光センサＡ＝４００、光センサＢ＝２００、光センサＥ＝２００、光センサＦ＝１００であった場合、制御エリア全体としての発光強度は、以下の計算式により算出される。
４００×１．００＋２００×２．００
＋２００×２．００＋１００×３．００＝１５００
【００３０】
ステップＳ１５５において、バックライト制御部１２４は、発光強度推定部１２２に前記算出した制御エリア０のＬＥＤ全体としての発光強度を目標発光強度として目標発光強度記録部１２５に記録する。
【００３１】
バックライト制御部１２４は、以上のステップＳ１５２からＳ１５５を全制御エリアに対して実施し、全制御エリアの目標発光強度を目標発光強度記録部１２５に記録する。
【００３２】
全制御エリアの目標発光強度を記録した場合の目標発光強度記録部１２５のデータの一例を図６（Ｂ）に示す。
（ドリフト補正時）
次に、図４を用いて、制御エリアごとに発光強度を目標発光強度に近付け、各制御エリアを一定の輝度に保つための発光量を補正する処理について説明する。
【００３３】
本処理は、例えばユーザが本発光装置を搭載した液晶表示装置を使用している期間に行うことを想定している。なお、後述する単一の制御エリアの発光及び光センサ値の取得（
ステップＳ１７０〜ステップＳ１７１）は、一般的に目視で認識できない非常に短い期間（例えば、１ミリ秒以下）で実行し、ユーザのモニタ使用に影響を及ぼさずに行うことを想定している。
【００３４】
ステップＳ１７０において、バックライト制御部１２４は、バックライト駆動部１２６に対し、光センサ値の取得の対象となる制御エリア０のみを初期電流量で発光させる。このときの電流量は、上述した制御エリアごとの輝度ムラを低減する処理において制御ユニット１２０の不図示の記憶手段に記録された初期電流量とし、以降の処理により初期電流量が更新された場合は、更新後の初期電流量を用いる。
【００３５】
ステップＳ１７１において、バックライト制御部１２４は制御エリア０の周辺にある光センサＡ、光センサＢ、光センサＥ、光センサＦの電圧を取得するよう光センサ値検出部１２１に指示する。光センサ値検出部１２１は、光センサＡ、光センサＢ、光センサＥ、光センサＦから得られた電圧をＡ／Ｄ変換し、発光強度推定部１２２に光センサ検出値として設定する。
【００３６】
ステップＳ１７２において、バックライト制御部１２４は、発光強度推定部１２２に対し、複数の光センサ値から制御エリア０の発光強度の推定を行うよう指示する。発光強度推定部１２２は、補正情報記録部１２３から図６（Ａ）に示すような発光強度の補正情報を取得する。続けて、発光強度推定部１２２は、この補正情報に基づき、取得した光センサ検出値に対して重み付けを行う。
【００３７】
例えば、制御エリア０を発光させた時のセンサ値がＡ＝３８０、Ｂ＝２００、Ｅ＝２００、Ｆ＝１２０であった場合、制御エリア０全体としての発光強度は、以下の計算式により算出される。
３８０×１．００＋２００×２．００
＋２００×２．００＋１２０×３．００＝１５４０
【００３８】
ステップＳ１７３において、バックライト制御部１２４は、目標発光強度記録部１２５に対し、制御エリア０の目標発光強度を要求する。目標発光強度記録部１２５は、制御エリア０の目標発光強度をバックライト制御部１２４に送る。バックライト制御部１２４は、目標発光強度記録部１２５から取得した目標発光強度と、Ｓ１７２で算出した発光強度（以下、現発光強度という）に基づき、制御エリア０の電流量を補正する。電流量の補正係数は以下の式により算出される。
電流量の補正係数＝目標発光強度÷現発光強度
また、補正後の電流量（以下、補正後電流量）は以下の式により算出される。
補正後電流量＝初期電流量×電流量の補正係数
例えば、制御エリア０の目標発光強度は１５００、算出した発光強度は１５４０であるので、電流量の補正係数は
（１５００÷１５４０）≒０．９７４０
となる。また、初期電流量が１０５２６であるので、制御エリア０の補正後電流量は、
（１０５２６×０．９７４０）≒１０２５２
となる。
【００３９】
バックライト制御部１２４は、これにより求められた補正後電流量を制御エリア０に設定し、発光させる。
バックライト制御部１２４は、以上のステップＳ１７０からＳ１７４を全制御エリアに対して実施し、全制御エリアの補正後電流量を算出し適用する。
【００４０】
以上の処理により、本発光装置を搭載した液晶表示装置は、各制御エリアにおけるＬＥＤの配置による光センサの検出値への影響の偏りを補正できる。そして、補正した光センサの検出値に基づき各制御エリアの平均的な輝度を一定にするように電流量を補正する。そのため、より高い精度で発光装置の輝度均一性を確保することができる。
【００４１】
（実施例２）
実施例１ではＬＥＤの発光色が全て同一であったのに対し、本実施例では、ＬＥＤの発光色が複数ある場合について示す。具体的には、制御エリア上の各発光色４つのＬＥＤの発光強度を周囲に設置した４つのＲＧＢ光センサを使って測定する場合について示す。
【００４２】
図７は本発明の実施例２における発光装置の構成を示すブロック図である。発光装置２００は、バックライトユニット２１０と制御ユニット２２０から構成されている。バックライトユニット２１０は複数のＬＥＤ２１１と複数のＲＧＢ光センサ２１２を有している。ＲＧＢ光センサ２１２は、赤（Ｒ），緑（Ｇ）、青（Ｂ）の三原色の発光強度を測定可能な光センサである。ここで、ＬＥＤ２１１は、複数の発光色があり、具体的には赤色、緑色、青色のいずれかの色で発光するＬＥＤにより構成される。ＲＧＢ光センサ２１２は、ＬＥＤ２１１の複数の発光色ごとに発光強度を検知することが可能な光センサである。制御ユニット２２０は光センサ値検出部２２１と、発光強度推定部２２２と、補正情報記録部２２３と、バックライト制御部２２４と、目標発光強度記録部２２５と、バックライト駆動部２２６を有している。
【００４３】
図８（Ａ）は本実施例におけるバックライトユニット２１０のＬＥＤ２１１及びＲＧＢ光センサ２１２の配置について示した模式図である。バックライトユニット２１０には９６個のＬＥＤユニット２１４と１２個のＲＧＢ光センサ２１２がアレイ状に配置され、２４個の制御エリアに分割されている。ここで、ＬＥＤユニット２１４は、４個のＬＥＤの組み合わせで構成され、具体的には、赤色ＬＥＤ１個、緑色ＬＥＤ２個、青色ＬＥＤ１個により構成される。
【００４４】
図８（Ｂ）を用いて、より詳細に説明すると、４つの制御エリアの周囲に４つのＲＧＢ光センサ２１２が配置されている。すなわち、横２個×縦２個の４個の制御エリアからなる領域の４つの頂点の位置にＲＧＢ光センサ２１２が配置されている。また、１つの制御エリアは４つのＬＥＤユニット２１４により構成される。さらに、１つのＬＥＤユニット２１４は前述した４個のＬＥＤの組み合わせにより構成される。
【００４５】
本実施例においては、１つの制御エリアの発光色ごとの発光強度を４つのＲＧＢ光センサ２１２を用いて推定するが、発光強度を推定する方法は実施例１と同様に、予め測定及び算出された補正情報である重み付け係数を用いる。
【００４６】
以下、実施例２での発光装置２００の制御を図９及び図１０に示すフローチャートを用いて説明する。
（工場調整時）
まず、図９を用いて、個々の制御エリアの目標発光強度を記録する処理について説明する。
本処理は、例えば、生産時の調整工程にて実施することを想定している。
【００４７】
ステップＳ２５０において、バックライト制御部２２４は、バックライト駆動部２２６に対し、全ＬＥＤを発光させるよう指示する。バックライト駆動部２２６は、全てのＬＥＤ２１１に対し、同一の初期電流量を設定し、発光させる。
【００４８】
ステップＳ２５１において、バックライト制御部２２４は、不図示の外部測定器によって測定したバックライトの発光色ごとの輝度ムラ測定結果を基に、各制御エリアの発光色ごとの電流量を補正する。具体的には、バックライト制御部２２４は、外部測定器から図１１に示すような発光色ごとの目標輝度に対する制御エリアごとの平均輝度の分布を取得し、各制御エリアの発光色ごとの電流量を補正する。
【００４９】
例えば、制御エリア０の赤色の目標輝度に対する輝度は９５％であるので、電流量の補正係数は以下の計算式により、算出される。
（１÷０．９５）≒１．０５２６
バックライト制御部２２４は、同様に、緑色、青色に対してもそれぞれ電流量の補正係数を算出する。
【００５０】
また、初期電流量が１００００であったとすると、制御エリア０の補正後の電流量（以下、補正後初期電流量）は以下の計算式により、算出される。
（１００００×１．０５２６）＝１０５２６
バックライト制御部２２４は、同様に、緑色、青色に対してもそれぞれ補正後初期電流量を算出する。
【００５１】
以上の手順により、バックライト制御部２２４は、全ての制御エリア及び発光色ごとに補正後初期電流量を算出し、これを初期電流量として更新する。次に、バックライト制御部２２４は、全ての制御エリアを更新した初期電流量で発光させ、再度外部測定器によって目標輝度に対する制御エリアごとの平均輝度を測定する。誤差範囲が十分小さくなった場合（例えば、１％以下）、バックライト制御部２２４は、本ステップを終了する。誤差範囲が十分小さくならなかった場合、バックライト制御部２２４は、再度補正後初期電流量の算出及び初期電流量の更新を行い、誤差範囲が十分小さくなるまで繰り返し、各制御エリアの輝度ムラや色度ムラをなくす。初期電流量は制御ユニット２２０の不図示の記憶手段に記録され、補正後初期電流量が算出されるたびに記憶手段の初期電流量が更新される。
【００５２】
ステップＳ２５２において、バックライト制御部２２４は、バックライト駆動部２２６に対し、制御エリア０の赤色ＬＥＤのみを初期電流量で発光させるよう指示する。バックライト駆動部２２６は、ＬＥＤ２１１の制御エリア０の赤色ＬＥＤに対し、初期電流量を設定して発光させ、その他のＬＥＤに対しては電流量に０を設定して非発光状態とする。
【００５３】
ステップＳ２５３において、バックライト制御部２２４は制御エリア０の周辺にあるＲＧＢ光センサＡ、ＲＧＢ光センサＢ、ＲＧＢ光センサＥ、ＲＧＢ光センサＦの赤色光に対する検出電圧を取得するよう光センサ値検出部２２１に指示する。光センサ値検出部２２１は、ＲＧＢ光センサＡ、ＲＧＢ光センサＢ、ＲＧＢ光センサＥ、ＲＧＢ光センサＦから
得られた電圧をＡ／Ｄ変換し、発光強度推定部２２２に光センサ検出値として設定する。
【００５４】
ステップＳ２５４において、バックライト制御部２２４は、発光強度推定部２２２に対し、制御エリア０の周囲の複数の光センサ検出値から制御エリア０の赤色光の発光強度の推定を行うよう指示する。発光強度推定部２２２は、補正情報記録部２２３から補正情報を取得する。
【００５５】
具体的には、補正情報として、図１２に示すような発光している制御エリアと発光色、周囲の光センサ情報、及び周囲の光センサ検出値に乗算するための重み付け係数の情報が記録されている。発光強度推定部２２２は、この補正情報に基づき、取得した光センサ検出値に対して重み付けを行う。例えば、制御エリア０の赤色ＬＥＤを発光させた時の光センサ検出値がＲＧＢ光センサＡ＝４００、ＲＧＢ光センサＢ＝２００、ＲＧＢ光センサＥ＝２００、ＲＧＢ光センサＦ＝１００であったとする。この場合、制御エリア全体としての赤色ＬＥＤの発光強度は、以下の計算式により算出される。
４００×１．００＋２００×２．００
＋２００×２．００＋１００×３．００＝１５００
【００５６】
ステップＳ２５５において、バックライト制御部２２４は、発光強度推定部２２２に前記算出した制御エリア０の赤色ＬＥＤ全体としての発光強度を目標発光強度として目標発光強度記録部１２５に記録する。
【００５７】
バックライト制御部２２４は、以上のステップＳ２５２からＳ２５５を全ての制御エリア及び発光色に対して実施し、全制御エリアの全発光色の目標発光強度を目標発光強度記録部２２５に記録する。
【００５８】
全制御エリアの目標発光強度を記録後した場合の目標発光強度記録部２２５のデータの一例を図１３に示す。
（ドリフト補正時）
次に、図１０を用いて、制御エリアごとに発光強度を目標発光強度に近付け、各制御エリアを一定の輝度に保つための発光量を補正する処理について説明する。
【００５９】
本処理は、例えばユーザが本発光装置を搭載した液晶表示装置を使用している期間に行うことを想定している。なお、後述する単一の制御エリアの発光及び光センサ値の取得（ステップＳ２７０〜ステップＳ２７１）は、一般的に目視で認識できない非常に短い期間（例えば、１ミリ秒以下）で実行し、ユーザのモニタ使用に影響を及ぼさずに行うことを想定している。
【００６０】
ステップＳ２７０において、バックライト制御部２２４は、バックライト駆動部２２６に対し、制御エリア０の赤色ＬＥＤのみを発光させる。このときの電流量は、上述した制御エリアごとの輝度ムラを低減する処理において制御ユニット２２０の不図示の記憶手段に記録された初期電流量とし、以降の処理により初期電流量が更新された場合は、更新後の初期電流量を用いる。
【００６１】
ステップＳ２７１において、バックライト制御部２２４は制御エリア０の周辺にあるＲＧＢ光センサＡ、ＲＧＢ光センサＢ、ＲＧＢ光センサＥ、ＲＧＢ光センサＦの電圧を取得するよう光センサ値検出部２２１に指示する。光センサ値検出部２２１は、ＲＧＢ光センサＡ、ＲＧＢ光センサＢ、ＲＧＢ光センサＥ、ＲＧＢ光センサＦから得られた電圧をＡ／Ｄ変換し、発光強度推定部２２２に光センサ検出値として設定する。
【００６２】
ステップＳ２７２において、バックライト制御部２２４は、発光強度推定部２２２に対し、複数の光センサ値から制御エリア０の赤色ＬＥＤの発光強度の推定を行うよう指示する。発光強度推定部２２２は、補正情報記録部２２３から図１２に示すような発光強度の補正情報を取得する。続けて、発光強度推定部２２２は、この補正情報に基づき、取得した光センサ検出値に対して重み付けを行う。
【００６３】
例えば、制御エリア０の赤色ＬＥＤを発光させた時のセンサ値がＡ＝３８０、Ｂ＝２００、Ｅ＝２００、Ｆ＝１２０であった場合、制御エリア０の赤色ＬＥＤ全体としての発光強度は、以下の計算式により算出される。
３８０×１．００＋２００×２．００
＋２００×２．００＋１２０×３．００＝１５４０
【００６４】
ステップＳ２７３において、バックライト制御部２２４は、目標発光強度記録部２２５に対し、制御エリア０の目標発光強度を要求する。目標発光強度記録部２２５は、制御エリア０の目標発光強度をバックライト制御部２２４に送る。バックライト制御部２２４は、取得した目標発光強度とＳ２７２で算出した発光強度に基づき、制御エリア０の赤色ＬＥＤの電流量を補正する。
【００６５】
制御エリア０の赤色ＬＥＤの目標発光強度は１５００、算出した発光強度は１５４０であるので、電流量の補正係数は以下の計算式により算出される。
（１５００÷１５４０）≒０．９７４０
【００６６】
また、初期電流量が１０５２６であるので、制御エリア０の補正後の電流量（以下、補正後電流量）は、以下の計算式により算出される。
（１０５２６×０．９７４０）≒１０２５２
【００６７】
バックライト制御部２２４は、これにより求められた補正後電流量を制御エリア０の赤色ＬＥＤに設定し、発光させる。
バックライト制御部２２４は、以上、ステップＳ２７０からＳ２７４を全ての制御エリア及び発光色に対して実施し、全制御エリアの補正後電流量を更新していく。
【００６８】
以上の処理により、本発光装置を搭載した液晶表示装置は各制御エリアにおけるＬＥＤの配置によるＲＧＢ光センサの検出値への影響の偏りを補正できる。そして、補正した光センサの検出値に基づき各制御エリアの平均的な輝度や色度を一定にするように電流量を補正する。そのため、より高い精度で発光装置の輝度や色度の均一性を確保することができる。
【００６９】
（実施例３）
実施例１では発光強度の光センサによる検出値を補正する際の重み付け係数は、発光する制御ブロック及び光センサごとに一意に決まっていた。本実施例では、発光強度の光センサによる検出値を補正する際の重み付け係数は、制御エリア及び光センサの位置関係のパターンごとに決まっている場合について示す。
【００７０】
図１４は本発明の実施例３における発光装置の構成を示すブロック図である。発光装置３００は、バックライトユニット３１０と制御ユニット３２０から構成されている。バックライトユニット３１０は複数のＬＥＤ３１１と複数の光センサ３１２を有している。また、制御ユニット３２０は光センサ値検出部３２１と、発光強度推定部３２２と、補正情報記録部３２３と、バックライト制御部３２４と、目標発光強度記録部３２５と、バックライト駆動部３２６を有している。
【００７１】
図１５は本実施例におけるバックライトユニット３１０のＬＥＤ３１１及び光センサ３１２の配置について示した模式図である。バックライトユニット３１０には９６個のＬＥＤ３１１と１２個の光センサ３１２がアレイ状に配置され、２４個の制御エリアに分割されている。１つの制御エリアには４つのＬＥＤ３１１が配置され、４つの制御エリアの周囲に４つの光センサ３１２が配置されている。すなわち、横２個×縦２個の４個の制御エリアからなる領域の４つの頂点の位置に光センサ３１２が配置されている。なお、本実施例においては、全てのＬＥＤが等間隔に配置されており、かつ全ての光センサが等間隔に配置されているものとし、以下、説明する。
【００７２】
本実施例では、補正情報記録部３２３に記録されている補正情報として、図１６（Ａ）に示すような制御エリアと光センサの設置パターンの対応と、図１６（Ｂ）に示すような光センサの設置パターンと重み付け係数の対応を記録する場合について説明する。
【００７３】
制御ユニット３２０は、制御エリアと光センサとの位置関係の情報を、図１６（Ａ）に示すようなテーブルとして保持しており、例えば、制御エリアの光センサとの位置関係にはＰ−ａ,Ｐ−ｂ，Ｐ−ｃの３パターンがある。ここで、パターンＰ−ａは、制御エリア
に対し最近傍にある光センサである。パターンＰ−ｃは、制御エリアに対し最遠方にある光センサである。パターンＰ−ｂは、周囲４つの光センサのうち、前記２つの光センサを除いた２つの光センサを示している。なお、パターンＰ−ｂに当たる光センサが２つ存在しているのは、次の理由による。すなわち、制御エリアの全てのＬＥＤが同一の発光量で発光しているとき、パターンＰ−ｂの位置関係にある光センサのどちらも検出できる発光強度は理論上同じであるため、どちらの光センサも同一のパターンに属するものとしている。
【００７４】
制御ユニット３２０は、制御エリアと光センサとの位置関係のパターンと重み付け係数との対応関係の情報を、図１６（Ｂ）に示すようなテーブルとして保持しており、光センサの位置関係のパターンごとに重み付け係数が既定されている。なお、本実施例では、各ＬＥＤの各光センサの検出値への影響度合が同一となるよう、光センサ検出値を調整するための重み付け係数は予め算出されているものとする。
【００７５】
以下、実施例３での発光装置３００の制御を図１７及び図１８に示すフローチャートを用いて説明する。
（工場調整時）
まず、図１７を用いて、個々の制御エリアの目標発光強度を記録する処理について説明する。本実施例におけるステップＳ３５０，Ｓ３５１，Ｓ３５２，Ｓ３５３，Ｓ３５５は実施例１のステップＳ１５０，Ｓ１５１，Ｓ１５２，Ｓ１５３，Ｓ１５５と同一の処理を行うため、省略する。ここでは、特に実施例１との相違点である、ステップＳ３５４の具体的な動作を説明する。
【００７６】
ステップＳ３５４において、バックライト制御部３２４は、発光強度推定部３２２に対し、制御エリア０の周囲の複数の光センサ検出値から制御エリア０の発光強度の推定を行うよう指示する。発光強度推定部３２２は、補正情報記録部３２３から補正情報を取得する。
【００７７】
補正情報は、前述したように、図１６（Ａ）に示すような制御エリアと光センサの位置関係の情報と、図１６（Ｂ）に示すような光センサの位置関係のパターンと重み付け係数との対応関係の情報が予め記録されている。発光強度推定部３２２は、この補正情報に基づき、Ｓ３５３で取得した光センサ検出値に対して重み付けを行う。
【００７８】
例えば、制御エリア０を発光させた時の光センサ検出値が光センサＡ＝４００、光センサＢ＝２００、光センサＥ＝２００、光センサＦ＝１００であったとする。光センサＡはパターンＰ−ａ、光センサＢ，ＥはパターンＰ−ｂ、光センサＦはパターンＰ−ｃであるから、各光センサによる検出値の重み付け係数は光センサＡが１．００、光センサＢ，Ｅが２．００、光センサＦが３．００となる。よって、制御エリア全体としての発光強度は、以下の計算式により算出される。
４００×１．００＋２００×２．００
＋２００×２．００＋１００×３．００＝１５００
【００７９】
（ドリフト時補正）
次に、図１８を用いて、制御エリアごとに発光強度を目標発光強度に近付け、各制御エリアを一定の輝度に保つための発光量を補正する処理について説明する。
本実施例におけるステップＳ３７０，Ｓ３７１，Ｓ３７３，Ｓ３７４は実施例１のステップＳ１７０，Ｓ１７１，Ｓ１７３，Ｓ１７４と同一の処理を行うため、説明を省略する。ここでは、特に実施例１との相違点である、ステップＳ３７２の具体的な処理内容を説明する。
【００８０】
ステップＳ３７２において、バックライト制御部３２４は、発光強度推定部３２２に対し、複数の光センサ値から制御エリア０の発光強度の推定を行うよう指示する。発光強度推定部３２２は、補正情報記録部３２３から図１６（Ａ）に示すような制御エリアと光センサの位置関係の情報と、図１６（Ｂ）に示すような光センサの位置関係のパターンと重み付け係数との対応関係の情報を取得する。続けて、発光強度推定部３２２は、この補正情報に基づき、Ｓ３７１で取得した光センサ検出値に対して重み付けを行う。
【００８１】
例えば、制御エリア０を発光させた時のセンサ値がＡ＝３８０、Ｂ＝２００、Ｅ＝２００、Ｆ＝１２０であった場合、制御エリア０全体としての発光強度は、以下の計算式により算出される。
３８０×１．００＋２００×２．００
＋２００×２．００＋１２０×３．００＝１５４０
【００８２】
以上の処理により、本発光装置を搭載した液晶表示装置は、各制御エリアにおけるＬＥＤの配置による光センサの検出値への影響の偏りを補正できる。そして、補正した光センサの検出値に基づき各制御エリアの平均的な輝度を一定にするように電流量を補正する。そのため、より高い精度で発光装置の輝度均一性を確保することができる。また、重み付けテーブルを制御エリアごとに持つ必要がなく、少ないメモリ容量での実装が可能になる。
【００８３】
（実施例４）
実施例１では制御エリア上の４つのＬＥＤの発光強度を周囲に設置した４つの光センサを使って測定していた。本実施例では、制御エリア上の２つのＬＥＤの発光強度を周囲に
設置した２つの光センサを使って測定する場合について示す。
【００８４】
図１９は本発明の実施例４における発光装置の構成を示すブロック図である。発光装置４００は、バックライトユニット４１０と制御ユニット４２０から構成されている。バックライトユニット４１０は複数のＬＥＤ４１１と複数の光センサ４１２を有している。また、制御ユニット４２０は光センサ値検出部４２１と、発光強度推定部４２２と、補正情報記録部４２３と、バックライト制御部４２４と、目標発光強度記録部４２５と、バックライト駆動部４２６を有している。
【００８５】
図２０は本実施例におけるバックライトユニット４１０のＬＥＤ４１１及び光センサ４１２の配置について示した模式図である。バックライトユニット４１０には２４個のＬＥＤ４１１と２個の光センサ４１２が配置され、１２個の制御エリアに分割されている。１つの制御エリアには２つのＬＥＤ４１１が配置され、バックライトユニット４１０の左右、上下中央位置に２つの光センサ４１２が配置されている。
【００８６】
ここで、１つの制御エリアに配置される２つのＬＥＤの発光強度は、２つの光センサを使って取得することができるが、制御エリアの位置によって、光センサの検出値へのＬＥＤの影響のしかたの偏りが異なる。例えば、図２０に示す制御エリア０上の２つの白色ＬＥＤが同一の明るさで発光した場合、光センサＸ、光センサＹの発光強度検出能力が同じであれば、光センサＸの検出値の方が大きく、光センサＹの検出値の方が小さい。よって、２つの光センサ検出値の積算値に含まれる制御エリア上の各ＬＥＤの影響度合が同一となるよう調整（重み付け）すれば、制御エリア上のＬＥＤ全体としての発光強度を検出することができる。
（光センサＸの検出値×補正係数）＋（光センサＹの検出値×補正係数）
＝（白色ＬＥＤ４１１１の発光強度＋白色ＬＥＤ４１１２の発光強度）
＝制御エリア全体の発光強度
【００８７】
本実施例では、複数の光センサによる検出値の積算値（和）における各ＬＥＤの影響度合が同一となるよう、光センサ検出値を調整するための重み付け係数は予め測定及び算出されており、発光装置内の記憶領域に保存されているものとする。
【００８８】
以下、実施例４での発光装置４００の制御を図２１及び図２２に示すフローチャートを用いて説明する。
（工場調整時）
まず、図２１を用いて、個々の制御エリアを均一の輝度で発光させるための目標とする発光強度（以下、目標発光強度）を記録する処理について説明する。
なお、本処理は、例えば生産時の調整工程にて実施することを想定している。
【００８９】
ステップＳ４５０において、バックライト制御部４２４は、バックライト駆動部４２６に対し、全ＬＥＤを発光させるよう指示する。バックライト駆動部４２６は、全てのＬＥＤ４１１に対し、同一の電流量（以下、初期電流量）を設定し、発光させる。
【００９０】
ステップＳ４５１において、バックライト制御部４２４は、不図示の外部測定器によって測定したバックライトの輝度ムラ測定結果を基に、各制御エリアの電流量を補正する。具体的には、バックライト制御部４２４は、外部測定器から図２３に示すような目標輝度に対する制御エリアごとの平均輝度の分布を取得し、各制御エリアの電流量を補正する。
【００９１】
例えば、制御エリア０の目標輝度に対する輝度は９５％であるので、電流量の補正係数
は以下の計算式により、算出される。
（１÷０．９５）≒１．０５２６
また、初期電流量が１００００であったとすると、制御エリア０の補正後の電流量（以下、補正後初期電流量）は以下の計算式により、算出される。
（１００００×１．０５２６）＝１０５２６
以上の手順により、バックライト制御部４２４は、全ての制御エリアに対して補正後初期電流量を算出し、これを初期電流量として更新する。次に、全ての制御エリアを更新した初期電流量で発光させ、再度外部測定器によって目標輝度に対する制御エリアごとの平均輝度を測定する。誤差範囲が十分小さくなった場合（例えば、１％以下）、バックライト制御部４２４は、本ステップを終了する。誤差範囲が十分小さくならなかった場合、バックライト制御部４２４は、再度補正後初期電流量の算出及び初期電流量の更新を行い、誤差範囲が十分小さくなるまで繰り返し、各制御エリアの輝度ムラをなくす。初期電流量は制御ユニット４２０の不図示の記憶手段に記録され、補正後初期電流量が算出されるたびに記憶手段の初期電流量が更新される。
【００９２】
ステップＳ４５２において、バックライト制御部４２４は、バックライト駆動部４２６に対し、制御エリア０のみを初期電流量で発光させるよう指示する。バックライト駆動部４２６は、ＬＥＤ４１１の制御エリア０であるＬＥＤに対し、初期電流量を設定して発光させ、その他のＬＥＤに対しては電流量に０を設定して非発光状態とする。
【００９３】
ステップＳ４５３において、バックライト制御部４２４は制御エリア０の周辺にある光センサＸ、光センサＹの電圧を取得するよう光センサ値検出部４２１に指示する。光センサ値検出部４２１は、光センサＸ、光センサＹから得られた電圧をＡ／Ｄ変換し、発光強度推定部４２２に光センサ検出値として設定する。
【００９４】
ステップＳ４５４において、バックライト制御部４２４は、発光強度推定部４２２に対し、制御エリア０の周囲の複数の光センサ検出値から制御エリア０の発光強度の推定を行うよう指示する。発光強度推定部４２２は、補正情報記録部４２３から補正情報を取得する。
【００９５】
補正情報は、前述したように、図２４（Ａ）に示すような制御エリアと光センサとの位置関係のパターン情報と、図２４（Ｂ）に示すような制御エリアと光センサとの位置関係のパターンと、対応する重み付け係数と、の対応関係の情報が予め記録されている。発光強度推定部１２２は、この補正情報に基づき、取得した光センサ検出値に対して重み付けを行う。
【００９６】
例えば、制御エリア０を発光させた時の光センサ検出値が光センサＸ＝５００、光センサＹ＝１００であったとする。制御エリア０は図２４（Ａ）から位置関係パターンはＰ−１に分類される。また、図２４（Ｂ）より、位置関係パターンがＰ−１のときの、光センサＸ、光センサＹの重み付け係数は、それぞれ１．００，９．００である。よって、制御エリア０の全体としての発光強度は、以下の計算式により算出される。
５００×１．００＋１００×９．００＝１４００
ステップＳ４５５において、バックライト制御部４２４は、発光強度推定部４２２が算出した制御エリア０のＬＥＤ全体としての発光強度を目標発光強度として目標発光強度記
録部４２５に記録する。
【００９７】
バックライト制御部４２４は、以上のステップＳ４５２からＳ４５５を全制御エリアに対して実施し、全制御エリアの目標発光強度を目標発光強度記録部１２５に記録する。
【００９８】
全制御エリアの目標発光強度を記録した場合の目標発光強度記録部４２５のデータの一例を図２５に示す。
（ドリフト補正時）
次に、図２２を用いて、制御エリアごとに発光強度を目標発光強度に近付け、各制御エリアを一定の輝度に保つための発光量を補正する処理について説明する。
【００９９】
本処理は、例えばユーザが本発光装置を搭載した液晶表示装置を使用している期間に行うことを想定している。なお、後述する単一の制御エリアの発光及び光センサ値の取得（ステップＳ４７０〜ステップＳ４７１）は、一般的に目視で認識できない非常に短い期間（例えば、１ミリ秒以下）で実行し、ユーザのモニタ使用に影響を及ぼさずに行うことを想定している。
【０１００】
ステップＳ４７０において、バックライト制御部４２４は、バックライト駆動部４２６に対し、制御エリア０のみを初期電流量で発光させる。このときの電流量は、上述した制御エリアごとの輝度ムラを低減する処理において制御ユニット４２０の不図示の記憶手段に記録された初期電流量とし、以降の処理により初期電流量が更新された場合は、更新後の初期電流量を用いる。
【０１０１】
ステップＳ４７１において、バックライト制御部４２４は光センサＸ、光センサＹの電圧を取得するよう光センサ値検出部４２１に指示する。光センサ値検出部４２１は、光センサＸ、光センサＹから得られた電圧をＡ／Ｄ変換し、発光強度推定部４２２に光センサ検出値として設定する。
【０１０２】
ステップＳ４７２において、バックライト制御部４２４は、発光強度推定部４２２に対し、複数の光センサ値から制御エリア０の発光強度の推定を行うよう指示する。発光強度推定部４２２は、補正情報記録部４２３から補正情報を取得する。続けて、発光強度推定部４２２は、この補正情報に基づき、取得した光センサ検出値に対して重み付けを行う。
【０１０３】
例えば、制御エリア０を発光させた時のセンサ値がＸ＝４８０、Ｙ＝１９０であった場合、制御エリア０全体としての発光強度は、以下の計算式により算出される。
４８０×１．００＋９０×９．００＝１２９０
【０１０４】
ステップＳ４７３において、バックライト制御部４２４は、目標発光強度記録部４２５に対し、制御エリア０の目標発光強度を要求する。目標発光強度記録部４２５は、制御エリア０の目標発光強度をバックライト制御部４２４に送る。バックライト制御部４２４は、取得した目標発光強度とＳ４７２で算出した発光強度に基づき、制御エリア０の電流量を補正する。
【０１０５】
制御エリア０の目標発光強度は１４００、算出した発光強度は１２９０であるので、電流量の補正係数は以下の計算式により、算出される。
（１４００÷１２９０）≒１．０８５３
【０１０６】
また、初期電流量が１０５２６であるので、制御エリア０の補正後の電流量（以下、補正後電流量）は、以下の計算式により算出される。
（１０５２６×１．０８５３）≒１１４２４
バックライト制御部４２４は、これにより求められた補正後電流量を制御エリア０に設定し、発光させる。
バックライト制御部４２４は、以上、ステップＳ４７０からＳ４７４を全制御エリアに対して実施し、全制御エリアの補正後電流量を更新していく。
【０１０７】
以上の処理により、本発光装置を搭載した液晶表示装置は、各制御エリアにおけるＬＥＤの配置による光センサの検出値への影響の偏りを補正できる。そして、補正した光センサの検出値に基づき各制御エリアの平均的な輝度を一定にするように電流量を補正する。そのため、より高い精度で発光装置の輝度均一性を確保することができる。また、重み付けテーブルを制御エリアごとに持つ必要がなく、少ないメモリ容量での実装が可能になる。
【符号の説明】
【０１０８】
１００  発光装置、１１０  バックライトユニット、１１１  ＬＥＤ、１１２  光センサ、１２１  光センサ値検出部、１２２  発光強度推定部、１２３  補正情報記録部、１２４  バックライト制御部
【図１】
2014081585.tif 000003
【図２】
2014081585.tif 000004
【図３】
2014081585.tif 000005
【図４】
2014081585.tif 000006
【図５】
2014081585.tif 000007
【図６】
2014081585.tif 000008
【図７】
2014081585.tif 000009
【図８】
2014081585.tif 000010
【図９】
2014081585.tif 000011
【図１０】
2014081585.tif 000012
【図１１】
2014081585.tif 000013
【図１２】
2014081585.tif 000014
【図１３】
2014081585.tif 000015
【図１４】
2014081585.tif 000016
【図１５】
2014081585.tif 000017
【図１６】
2014081585.tif 000018
【図１７】
2014081585.tif 000019
【図１８】
2014081585.tif 000020
【図１９】
2014081585.tif 000021
【図２０】
2014081585.tif 000022
【図２１】
2014081585.tif 000023
【図２２】
2014081585.tif 000024
【図２３】
2014081585.tif 000025
【図２４】
2014081585.tif 000026
【図２５】
2014081585.tif 000027